(57)【要約】  本発明は、ブロッキングポート情報の更新方法を開示し、該方法は、イーサネットリングネットワークのリングプロテクションリンクに属するノードがサスペンド状態にあり、且つ、回復待ちタイマーが切れた後に、イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新することを備える。本発明は、ブロッキングポート情報の更新システムをさらに開示し、該システムにおいて、更新ユニットは、イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新することに用いられる。本発明の方法及びシステムを採用し、イーサネットリングプロテクションリンクに属するノードのブロッキングポート情報をタイムリーに更新することができ、これによって、イーサネットリングネットワークがスイッチバックする時、リングプロテクションリンクに属するノードが繰り返してリフレッシュされる問題を解決することができる。【選択図】図３
2013505650.tif 000002
【特許請求の範囲】
【請求項１】
ブロッキングポート情報の更新方法であって、
イーサネットリングネットワークのリングプロテクションリンクに属するノードがサスペンド状態にあり、且つ、回復待ちタイマーが切れた後に、前記イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新する
ことを備えることを特徴とする方法。
【請求項２】
前記のイーサネットリングネットワークのリングプロテクションリンクに属するノードのブロッキングポートを標識する情報は、具体的に、前記イーサネットリングネットワークのリングプロテクションリンクに属するノードの自身のノード番号、及び前記リングプロテクションリンクの隣接ポートのインデックス番号を含む
ことを特徴とする請求項1に記載の方法。
【請求項３】
前記イーサネットリングネットワークのリングプロテクションリンクに属するノードが、前記リングプロテクションリンクの隣接ポートをブロックすることと、前記イーサネットリングネットワークのリングプロテクションリンクに属するノードが、リングプロテクションリンクブロッキングプロトコルフレームを送信してイーサネットリングネットワークにおける他のノードに通知する
こととをさらに備えることを特徴とする請求項1又は2に記載の方法。
【請求項４】
前記イーサネットリングネットワークのリングプロテクションリンクに属するノードが、自身から送信されたリングプロテクションリンクブロッキングプロトコルフレームを受信した時、アドレステーブルのリフレッシュを実行しない
ことをさらに備えることを特徴とする請求項3に記載の方法。
【請求項５】
前記のアドレステーブルのリフレッシュを実行しないことは、前記イーサネットリングネットワークのリングプロテクションリンクに属するノードが、リングプロテクションリンクブロッキングプロトコルフレームにパッケージされたノード番号とインデックス番号とを解析し、前記のパッケージされたノード番号及びインデックス番号が、更新後のリフレッシュ情報におけるノード番号及びインデックス番号と同じであるとき、マッチングが成功し、前記イーサネットリングネットワークのリングプロテクションリンクに属するノードがアドレステーブルのリフレッシュを実行しない
ことをさらに備えることを特徴とする請求項4に記載の方法。
【請求項６】
ブロッキングポート情報の更新システムであって、イーサネットリングネットワークのリングプロテクションリンクに属するノードがサスペンド状態にあり、且つ、回復待ちタイマーが切れた後に、前記イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新するための更新ユニットを含む
ことを特徴とするシステム。
【請求項７】
ブロックユニットと送信ユニットとをさらに含み、
ブロックユニットは、前記イーサネットリングネットワークのリングプロテクションリンクに属するノードが前記リングプロテクションリンクの隣接ポートをブロックすることに用いられ、
送信ユニットは、前記イーサネットリングネットワークのリングプロテクションリンクに属するノードがリングプロテクションリンクブロッキングプロトコルフレームを送信してイーサネットリングネットワークにおける他のノードに通知することに用いられる
ことを特徴とする請求項6に記載のシステム
【請求項８】
前記イーサネットリングネットワークのリングプロテクションリンクに属するノードが自身から送信されたリングプロテクションリンクブロッキングプロトコルフレームを受信した時、アドレステーブルのリフレッシュを実行しないためのリフレッシュ実行ユニットをさらに含む
ことを特徴とする請求項6又は7に記載のシステム。
【請求項９】
前記イーサネットリングネットワークのリングプロテクションリンクに属するノードがリングプロテクションリンクブロッキングプロトコルフレームにパッケージされたノード番号とインデックス番号とを解析し、更新後のリフレッシュ情報におけるノード番号及びインデックス番号をマッチングするためのマッチングユニットをさらに含み、
リフレッシュ実行ユニットは、前記のパッケージされたノード番号及びインデックス番号が、更新後のリフレッシュ情報におけるノード番号及びインデックス番号と同じである場合に、イーサネットリングネットワークのリングプロテクションリンクに属するノードがアドレステーブルのリフレッシュを実行しないことにさらに用いられる
ことを特徴とする請求項8に記載のシステム。
【発明の詳細な説明】
【技術分野】
【０００１】
本発明はイーサネット（登録商標、以下同じ）保護における更新技術に関し、特にイーサネットリングネットワークにおけるブロッキングポート情報の更新方法及びシステムに関する。
【背景技術】
【０００２】
イーサネットがマルチサービスキャリ方向に向かって発展するにつれ、特にある種のサービスがネットワークに対して要求する信頼性、リアルタイム性はますます高くなっている。イーサネットはリング型ネットワークを広く採用し、これにより、ネットワークの信頼性を向上させる。且つ、このリング型ネットワークの保護方案において、普通、高速保護スイッチングが50ms以下に達することができることを要求する。目下、この高速保護スイッチングの技術は、国際電気通信連合（ITU-T、International Telecommunication Union）のG.8032プロトコルに基づいて実現することができる。
【０００３】
上記G.8032プロトコル基づいて、リング型位相イーサネットのイーサネット層へ自動保護スイッチングプロトコルとメカニズムとを定義した。このネットワーク保護方法は、リング型位相のイーサネットに適用する。それを実現する大体のプロセスは、リング型位相イーサネットにおいて、あるリンクを選択してリングプロテクションリンクとする。イーサネットリングネットワークのリンクがいずれも故障していない場合、リングプロテクションリンクの2つの隣接ノードにおいて、少なくとも1つのノードがリングプロテクションリンクに接続されるポートをブロックし、被保護データがリングプロテクションリンクを通過するのを防止する。このように、イーサネットリングネットワークにおけるいずれか2つのノードの間に惟一の通信経路のみを有するため、イーサネットリングネットワークに通信経路の閉ループが発生することがなく、閉ループとネットワークストームを防止する。イーサネットリングネットワークのリンクに故障が現れる場合に、該故障リンクがリングプロテクションリンクではなければ、リングプロテクションリンクと隣接するポートのノードをブロックし、リングプロテクションリンクにおけるブロックされたポートを開き、被保護データをリングプロテクションリンクを通過させ、リングプロテクションリンクにおけるいずれか2つのノードの間に新しい通信経路を発生し、通信経路の再連通を保障し、ネットワークの信頼性を向上させる。
【０００４】
イーサネットリングネットワークの切り替え過程において、データトラフィックの通信経路は、変化の発生が必要であり、各ノードが記録しているアドレステーブル情報は、データトラフィックの通信経路が変化した後にいずれも再適用できなくなるため、各ノードは、アドレステーブルをリフレッシュする必要がある。具体的な動作は、リングにおけるポートのアドレスエントリを削除することである。G.8032プロトコルにおいて、ノードが1つのプロトコルフレームを送信する時、プロトコルフレームに自身のノード番号とブロッキングポートインデックス番号を含み、他のノードが該プロトコルフレームを受信した後、プロトコルフレームにおけるノード番号とブロッキングポートインデックス番号を抽出し、受信ポートと対応するリフレッシュ記録情報に最初に保存されているノード番号とブロッキングポートインデックス番号とを比較する。両方が異なると、受信ポートと対応するリフレッシュ記録情報を、抽出されたノード番号とブロッキングポートインデックス番号に更新する。プロトコルフレームにおけるノード番号とブロッキングポートインデックス番号が、受信ポートの反対ポートと対応するリフレッシュ記録情報のノード番号とブロッキングポートインデックス番号と異なると、該ノードはアドレステーブルをリフレッシュする必要がある可能性がある。
【０００５】
以上のこのようなイーサネットリングネットワークアドレステーブルのリフレッシュ方法は、イーサネットリングネットワークが切り替える時、間違ったアドレスエントリを高速に削除することができることを保障するが、切り替える時の繰り返しリフレッシュの問題をも引き起こす。例えば、リンクが回復した後にスイッチバックする時、リングプロテクションリンクに属するノードがアドレステーブルを繰り返しリフレッシュし、それは、リングプロテクションリンクに属するノードがスイッチバックする時、まずリングプロテクションリンクの隣接ポートをブロックし、その後、リングプロテクションリンクブロッキングプロトコルフレームを送信して他のノードにスイッチバックを行うことを通知し、次に、リングプロテクションリンクに属するノードがアドレステーブルをリフレッシュする。しかし、その後、リングプロテクションリンクに属するノードが自身から送信されたリングプロテクションリンクブロッキングプロトコルフレームを初めて受信した場合、最初のポートのリフレッシュ記録情報のノード番号及びブロッキングポートインデックス番号が受信したプロトコルフレームに含まれた情報と一致しないため、リングプロテクションリンクに属するノードがアドレステーブルを再び1回繰り返しリフレッシュすることを引き起こす。今回のアドレステーブルのリフレッシュは、実際には不必要である。また、トラフィックが安定になった後にさらに1回のブロードキャスティングを行うことを原因とする。このようなイーサネットリングネットワークがスイッチバックする時リングプロテクションリンクに属するノードの繰り返しリフレッシュの問題は、イーサネットリングプロテクションリンクに属するノードのブロッキングポート情報がタイムリーに更新することができないからである。目下、該ブロッキングポート情報がタイムリーに更新することができない問題に対して、解決方案がまだない。
【発明の概要】
【課題を解決するための手段】
【０００６】
これに鑑みて、本発明は、イーサネットリングプロテクションリンクに属するノードのブロッキングポート情報をタイムリーに更新させることができ、これによって、イーサネットリングネットワークがスイッチバックする時、リングプロテクションリンクに属するノードが繰り返しリフレッシュされる問題を解決するブロッキングポート情報の更新方法及びシステムを提供することを主な目的とする。
【０００７】
上記目的を達成するために、本発明の技術案はこのように実現される。
【０００８】
ブロッキングポート情報の更新方法であって、イーサネットリングネットワークのリングプロテクションリンクに属するノードがサスペンド状態にあり、且つ回復待ちタイマーが切れた後に、前記イーサネットリングネットワークのリングプロテクションリンクに属するノードが、リングプロテクションリンクの隣接ポートのリフレッシュ記録情報を、イーサネットリングネットワークのリングプロテクションリンクに属するノードのブロッキングポートを標識する情報に更新することを備える。
【０００９】
前記のイーサネットリングネットワークのリングプロテクションリンクに属するノードのブロッキングポートを標識する情報は、具体的に、前記イーサネットリングネットワークのリングプロテクションリンクに属するノードの自身のノード番号と、前記リングプロテクションリンクの隣接ポートのインデックス番号を含む。
【００１０】
該方法は、前記イーサネットリングネットワークのリングプロテクションリンクに属するノードが、前記リングプロテクションリンクの隣接ポートをブロックすることと、前記イーサネットリングネットワークのリングプロテクションリンクに属するノードが、リングプロテクションリンクブロッキングプロトコルフレームを送信してイーサネットリングネットワークにおける他のノードに通知することをさらに備える。
【００１１】
該方法は、前記イーサネットリングネットワークのリングプロテクションリンクに属するノードが、自身から送信されたリングプロテクションリンクブロッキングプロトコルフレームを受信した時、アドレステーブルのリフレッシュを実行しないことをさらに備える。
【００１２】
前記のアドレステーブルのリフレッシュを実行しないことは、前記イーサネットリングネットワークのリングプロテクションリンクに属するノードが、リングプロテクションリンクブロッキングプロトコルフレームにパッケージされたノード番号とインデックス番号を解析し、前記のパッケージされたノード番号及びインデックス番号が、更新後のリフレッシュ情報におけるノード番号及びインデックス番号と同じであると、マッチングが成功し、前記イーサネットリングネットワークのリングプロテクションリンクに属するノードが、アドレステーブルのリフレッシュを実行しないことをさらに備える。
【００１３】
ブロッキングポート情報の更新システムであって、該システムは、イーサネットリングネットワークのリングプロテクションリンクに属するノードがサスペンド状態にあり、且つ回復待ちタイマーが切れた後に、前記イーサネットリングネットワークのリングプロテクションリンクに属するノードが、リングプロテクションリンクの隣接ポートのリフレッシュ記録情報を、イーサネットリングネットワークのリングプロテクションリンクに属するノードのブロッキングポートを標識する情報に更新するための更新ユニットを含む。
【００１４】
該システムは、ブロックユニットと送信ユニットをさらに含み、
ブロックユニットは、前記イーサネットリングネットワークのリングプロテクションリンクに属するノードが、前記リングプロテクションリンクの隣接ポートをブロックすることに用いられ、
送信ユニットは、前記イーサネットリングネットワークのリングプロテクションリンクに属するノードが、リングプロテクションリンクブロッキングプロトコルフレームを送信してイーサネットリングネットワークにおける他のノードに通知することに用いられる。
【００１５】
該システムは、前記イーサネットリングネットワークのリングプロテクションリンクに属するノードが、自身から送信されたリングプロテクションリンクブロッキングプロトコルフレームを受信した時、アドレステーブルのリフレッシュを実行しないためのリフレッシュ実行ユニットをさらに含む。
【００１６】
該システムは、前記イーサネットリングネットワークのリングプロテクションリンクに属するノードが、リングプロテクションリンクブロッキングプロトコルフレームにパッケージされたノード番号とインデックス番号を解析し、更新後のリフレッシュ情報におけるノード番号及びインデックス番号をマッチングするためのマッチングユニットをさらに含み、
リフレッシュ実行ユニットは、前記のパッケージされたノード番号及びインデックス番号が、更新後のリフレッシュ情報におけるノード番号及びインデックス番号と同じである場合に、イーサネットリングネットワークのリングプロテクションリンクに属するノードが、アドレステーブルのリフレッシュを実行しないことにさらに用いられる。
【００１７】
本発明イーサネットリングネットワークのリングプロテクションリンクに属するノードがサスペンド状態にあり、且つ回復待ちタイマーが切れた後に、イーサネットリングネットワークのリングプロテクションリンクに属するノードが、リングプロテクションリンクの隣接ポートのリフレッシュ記録情報を、イーサネットリングネットワークのリングプロテクションリンクに属するノードのブロッキングポートを標識する情報に更新する。
【発明の効果】
【００１８】
本発明によれば、リフレッシュ情報を、予めイーサネットリングネットワークのリングプロテクションリンクに属するノードのブロッキングポートを標識する情報に更新するため、後続のイーサネットリングネットワークのリングプロテクションリンクに属するノードが自身から送信されたリングプロテクションリンクブロッキングプロトコルフレームを受信した時、リングプロテクションリンクブロッキングプロトコルフレームにおける情報と更新後のリフレッシュ情報とのマッチングによって、イーサネットリングネットワークのリングプロテクションリンクに属するノード自身から送信されたリングプロテクションリンクブロッキングプロトコルフレームを識別することができ、アドレステーブルのリフレッシュを実行しない。これにより、スイッチバックする場合には、アドレステーブルの繰り返しリフレッシュを有効的に回避する。
【図面の簡単な説明】
【００１９】
【図１】イーサネットリングネットワークリンクに故障がない時の運行模式図。
【図２】イーサネットリングネットワークリンクに故障が現れる時の運行模式図。
【図３】本発明方法に係る実施例の実現フロー模式図。
【図４】本発明の実例に係る運行模式図。
【発明を実施するための形態】
【００２０】
本発明は、イーサネットリングネットワークのリングプロテクションリンクに属するノードがサスペンド状態にあり、且つ、回復待ちタイマーが切れた後に、イーサネットリングネットワークのリングプロテクションリンクに属するノードがブロックされたリングプロテクションリンクの隣接ポートのリフレッシュ情報を、イーサネットリングネットワークのリングプロテクションリンクに属するノードのブロッキングポートを標識する情報に更新することを基本的な思想とする。
【００２１】
以下、図面を結合して技術案の実施をさらに詳しく述べる。
【００２２】
以下、従来の技術と本発明とを比較して述べることによって、本発明の従来の技術に対する利点をより良好に体現する。
【００２３】
従来の技術について、図1は従来の、G.8032に基づくイーサネットリングネットワーク保護構成模式図であり、図1に示すように、ノードS1、S2、S3及びS4はイーサネットリングネットワークを組成する。ノードS1とS4との間のリンクはリングプロテクションリンクであり、ノードS1はリングプロテクションリンクに属するノードである。ノードS1は、ポート11のブロック及びオープンを制御することによってリングプロテクションリンクをブロックさせ又はオープンさせる。ここで、ポートブロックとは、ブロックされたノードポートが被保護データの転送機能を完成することができないが、やはりG.8032のプロトコルフレームを送受信することができることを意味する。図1に示すイーサネットリングネットワークリンクは故障がない場合、ノードS1がポート11をブロックし、被保護データがリングプロテクションリンクを通過することを防止する。即ち、ノードS1に転送されなることができなく、ノードS2とS3との間の被保護データのトラフィック通信経路がS2<−>S3のみであり、S2<−>S1<−>S4<−>S3であるわけがない。このため、リングネットワークに通信経路の閉ループが発生することがなく、ネットワークストームを防止する。イーサネットリングネットワークにリンク故障がない場合、リングプロテクションリンクに属するノードがリングプロテクションリンクブロッキングプロトコルフレームを周期的に送信して他のノードにリングプロテクションリンクがブロック状態にあることを通知する。このリングプロテクションリンクブロッキングプロトコルフレームには、送信ノードのノード番号、ブロッキングポートインデックス番号を含まれる。他のノードが該プロトコルフレームを受信した後、プロトコルフレームにおけるノード番号とブロッキングポートインデックスとを抽出し、受信ポートと対応するリフレッシュ記録情報に最初に保存されているノード番号及びブロッキングポートインデックス番号と比べ、両方が異なると、受信ポートと対応するリフレッシュ記録情報を、抽出されたノード番号及びブロッキングポートインデックス番号に更新する。イーサネットリングネットワークが安定になる時、各ノードリングにおける、ポートと対応するリフレッシュ記録情報にリングプロテクションリンクに属するノードのノード
番号及びブロッキングポートインデックス番号をいずれも保存している。例えば、ノードS4のポート41において、リフレッシュ記録情報のノード番号が1であり、ブロッキングポートインデックス番号が0であり、ポート42において、リフレッシュ記録情報のノード番号が1であり、ブロッキングポートインデックス番号が0である。
【００２４】
図2は図1でリンク故障が現れた後のイーサネットリングネットワーク保護構成模式図である。図2に示すように、ノードS2とS3がリンク故障を検出すると、まず、ノードS2とS3とが故障リンクと接続するポート22とポート31をそれぞれブロックし、且つ、リンク故障警告プロトコルフレームを送信し、他のノードに保護スイッチングを行うことを通知する。次に、リングプロテクションリンクに属するノードS1がリンク故障警告プロトコルフレームを受信した後、ブロックされるリングプロテクションリンクと接続するポート11を開く。このリンク故障警告プロトコルフレームは、送信ノードのノード番号、ブロッキングポートインデックス番号を含み、他の各ノードが該プロトコルフレームを受信した後、プロトコルフレームにおけるノード番号とブロッキングポートインデックス番号とを抽出し、受信ポートと対応するリフレッシュ記録情報に最初に保存されているノード番号及びブロッキングポートインデックス番号と比べ、両方が異なると、受信ポートと対応するリフレッシュ記録情報を、抽出されたノード番号及びブロッキングポートインデックス番号に更新し、且つ、さらにアドレステーブルをリフレッシュする必要がある。例えば、ノードS4は、リンクが故障した後にポート41にS3が送信したリンク故障警告プロトコルフレームを初めて受信した場合、該プロトコルフレームに含まれるノード番号が3であり、ブロッキングポートインデックス番号が0であるので、ノードS4は、比較によりポート41における最初のリフレッシュ記録情報のノード番号及びブロッキングポートインデックス番号と異なることを発見し、このため、ポート41のリフレッシュ記録情報を、新しいノード番号3及びブロッキングポートインデックス番号0に更新し、且つ、ノードS4は、さらにアドレステーブルをリフレッシュする必要がある。
【００２５】
この従来のイーサネットリングネットワークアドレステーブルのリフレッシュ方案は、イーサネットリングネットワークが切り替える時、間違ったアドレスエントリを高速に削除することを保障するが、切り替える時に繰り返し問題を引き起こす。例えば、リンクが回復した後にスイッチバックする時、リングプロテクションリンクに属するノードがアドレステーブルを繰り返しリフレッシュする。イーサネットリングネットワークに故障又は他の保護スイッチングの請求が発生する時、新しいブロッキングポートが発生し、新しいブロッキングポートが最初のブロックされたリングプロテクションリンクの隣接ポートではないと、リングプロテクションリンクの隣接ポートが開かれる。保護スイッチングを発生させる原因が消失した後、例えば故障が回復し、又は他の保護スイッチングの命令が除去される時、イーサネットリングネットワークに配置されたのが戻しモードであると、リングプロテクションリンクに属するノードがサスペンド状態に入り、且つ、1つの回復待ちタイマーを始動し、リングプロテクションリンクに属するノードがサスペンド状態にあり、且つ、回復待ちタイマーが切れた後に、イーサネットリングネットワークはスイッチバック動作を行う。スイッチバック動作は、具体的には、リングプロテクションリンクに属するノードがサスペンド状態にあり、且つ、回復待ちタイマーが切れた後に、まず、プロテクションリンクの隣接ポートをブロックし、その後、リングプロテクションリンクブロッキングプロトコルフレームを送信して他のノードにスイッチバックを行うことを通知し、次に、リングプロテクションリンクに属するノードがアドレステーブルをリフレッシュし、他のノードがリングプロテクションリンクブロッキングプロトコルフレームを受信した後にポートを開き、アドレステーブルをリフレッシュすることを備える。リングプロテクションリンクに属するノードが自身のリングプロテクションリンクブロッキングプロトコルフレームを初めて受信した場合、最初のポートのリフレッシュ記録情報のノード番号及びブロッキングポートインデックス番号が受信したプロトコルフレームに含まれた情報と一致しないため、リングプロテクションリンクに属するノードがアドレステーブルを再び1回繰り返しリフレッシュすることを引き起こす。今回のアドレステーブルのリフレッシュは実際に不必要である。また、トラフィックが安定になった後に、さらに1回のブロードキャスティングを行う。例えば、図1において、ノードS1は、ノードS2とS3との間のリンクが故障した期間に、ポート12が記憶しているリフレッシュ記録情報のノード番号が2であり、ブロッキングポートインデックス番号が1である。ノードS2とS3との間のリンク故障が回復した後、ノードS1は、スイッチバック操作を行る。ノードS1は、サスペンド状態にあり、且つ、回復待ちタイマーが切れた後に、まずポート11をブロックし、その後、リングプロテクションリンクブロッキングプロトコルフレームを送信する。該プロトコルフレームに含まれるノード番号は1であり、ブロッキングポートインデックス番号は0である。次に、ノードS1は、アドレステーブルをさらにリフレッシュし、他のノードがリングプロテクションリンクブ��ッキングプロトコルフレームを受信した後、ブロッキングポートを開き、アドレステーブルをリフレッシュし、ノードS1が自身から送信されたリングプロテクションリンクブロッキングプロトコルフレームを受信した後、プロトコルフレームに含まれるノード番号及びブロッキングポートインデックス番号が、受信ポートに最初に保存されているリフレッシュ記録情報と一致しないため、ノードS1がアドレステーブルを1回繰り返しリフレッシュすることを引き起こす。今回のリフレッシュは、実際には不必要である。イーサネットリングプロテクションリンクに属するノードのブロッキングポート情報をタイムリーに更新させさえすれば、この繰り返しリフレッシュの問題を回避することができる。
【００２６】
従って、本発明はこれに応じて発生し、本発明のブロッキングポート情報の更新方案を採用し、スイッチバックの場合には、イーサネットリングネットワークのリングプロテクションリンクに属するノードがサスペンド状態にあり、且つ、回復待ちタイマーが切れた後に、リングプロテクションリンクの隣接ポートが保存しているリフレッシュ記録情報におけるノード番号を、予め自身のノード番号に更新し、ブロッキングポートインデックス番号を、リングプロテクションリンクの隣接ポートのインデックス番号に更新する。これにより、リングプロテクションリンクに属するノードが自身から送信されたリングプロテクションリンクブロッキングプロトコルフレームを受信した時、ポートに記憶されているリフレッシュ記録情報のノード番号及びブロッキングポートインデックス番号が、プロトコルフレームと一致する。このため、アドレステーブルを繰り返しリフレッシュすることがない。これにより、アドレステーブルの繰り返しリフレッシュを有効的に防止する。
【００２７】
以下、本発明に採用されるブロッキングポート情報の更新方案を具体的に述べる。
【００２８】
ブロッキングポート情報の更新方法であって、該方法は、イーサネットリングネットワークのリングプロテクションリンクに属するノードがサスペンド状態にあり、且つ、回復待ちタイマーが切れた後に、イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新することを備える。
【００２９】
ここで、該方法は、イーサネットリングネットワークのリングプロテクションリンクに属するノードが、自身から送信されたリングプロテクションリンクブロッキングプロトコルフレームを受信した時、アドレステーブルのリフレッシュを実行しないことをさらに備える。
【００３０】
ここで、更新とアドレステーブルリフレッシュを実行しない操作との間に他のステップを備えてもよい。そこで、該方法は、イーサネットリングネットワークのリングプロテクションリンクに属するノードがプロテクションリンクの隣接ポートをブロックすることと、イーサネットリングネットワークのリングプロテクションリンクに属するノードがリングプロテクションリンクブロッキングプロトコルフレームを送信してイーサネットリングネットワークにおける他のノードに通知し、他のノードにスイッチバック操作を行うことを通知してもよいこととをさらに備える。ここで、更新、ブロック及びプロトコルフレームの送信のステップは、前後の順序が要求されないことを注意する必要がある。
【００３１】
ここで、イーサネットリングネットワークのリングプロテクションリンクに属するノードのブロッキングポートを標識する情報は、具体的に、イーサネットリングネットワークのリングプロテクションリンクに属するノードの自身のノード番号、及び、ブロックされたリングプロテクションリンクの隣接ポートのインデックス番号を含む。イーサネットリングネットワークにおける他のノードとは、イーサネットリングネットワークにおいて、イーサネットリングネットワークのリングプロテクションリンクに属するノード以外の他のノードを意味する。
【００３２】
ここで、イーサネットリングネットワークのリングプロテクションリンクに属するノードが、自身から送信されたリングプロテクションリンクブロッキングプロトコルフレームを受信した時、アドレステーブルのリフレッシュを実行しないことは、イーサネットリングネットワークのリングプロテクションリンクに属するノードがリングプロテクションリンクブロッキングプロトコルフレームにパッケージされたノード番号とインデックス番号とを解析し、更新後のリフレッシュ情報におけるノード番号及びインデックス番号とをマッチングすることと、ノード番号とインデックス番号がそれぞれ同じであり、マッチングに成功し、イーサネットリングネットワークのリングプロテクションリンクに属するノードがアドレステーブルのリフレッシュを実行しないこととをさらに備える。
【００３３】
以上のように、本発明は主に以下の内容を含む。
【００３４】
一：  イーサネットリングネットワークのリングプロテクションリンクに属するノードがサスペンド状態にあり、回復待ちタイマー切れた後に、イーサネットリングネットワークのリングプロテクションリンクに属するノードがスイッチバック場合に入る。
【００３５】
二：  スイッチバックの場合に、イーサネットリングネットワークのリングプロテクションリンクに属するノードが、リングプロテクションリンクの隣接ポートをブロックし、且つ、リングプロテクションリンクブロッキングプロトコルフレームを送信して他のノードに通知する。
【００３６】
三：  イーサネットリングネットワークのリングプロテクションリンクに属するノードが、リングプロテクションリンクの隣接ポートのリフレッシュ記録情報を自身のノード番号及びリングプロテクションリンクの隣接ポートインデックス番号に更新する。
【００３７】
ここで、その中、上記の二、三の2つの面が含む内容の間は、前後の順序が要求されないことを指摘する必要がある。
【００３８】
本発明において、イーサネットリングネットワークのリングプロテクションリンクに属するノードがスイッチバックする時、リングプロテクションリンクの隣接ポートが記憶しているリフレッシュ記録情報を、予め自身のブロッキングポート情報に更新したため、自身から送信されたリングプロテクションリンクブロッキングプロトコルフレームを受信した後、プロトコルフレームに含まれるノード番号及びポートインデックス番号が最初に記憶されているリフレッシュ記録情報と一致するため、リングプロテクションリンクに属するノードが、アドレステーブルを再びリフレッシュし続けることがなく、繰り返しリフレッシュを回避し、イーサネットリングネットワークがスイッチバックする時のトラフィックのブロードキャスティングを減少させ、切り替え効率を向上させる。
【００３９】
以下、例を挙げて本発明を述べる。
【００４０】
実施例：図3に示すように、スイッチバック場合での本発明ブロッキングポート情報の更新方法のフローチャートであり、
イーサネットリングネットワークの故障リンクが回復し又は他の保護スイッチングの請求が除去されるステップ101と、
イーサネットリングネットワークのリングプロテクションリンクに属するノードが回復待ちタイマーを始動し、且つ、サスペンド状態に入るステップ102と、
イーサネットリングネットワークのリングプロテクションリンクに属するノードがサスペンド状態にあり、且つ、回復待ちタイマーが切れたステップ103と、
イーサネットリングネットワークのリングプロテクションリンクに属するノードがリングプロテクションリンクの隣接ポートをブロックし、且つ、リングプロテクションリンクブロッキングプロトコルフレームを送信して他のノードにスイッチバックを行うことを通知し、他のノードとは、他の非イーサネットリングネットワークのリングプロテクションリンクに属するノードを意味する、ステップ104と、
イーサネットリングネットワークのリングプロテクションリンクに属するノードがリングプロテクションリンクの隣接ポートのリフレッシュ記録情報を自身のノード番号及びリングプロテクションリンクの隣接ポートインデックス番号に更新するステップ105と、
イーサネットリングネットワークのリングプロテクションリンクに属するノードが自身から送信されたリングプロテクションリンクブロッキングプロトコルフレームを受信し、プロトコルフレームに含まれるノード番号及びポートインデックス番号が、最初に記憶されているリフレッシュ記録情報と一致するため、リングプロテクションリンクに属するノードが、アドレステーブルを再びリフレッシュし続けないステップ106を備える。
【００４１】
以下、具体的な実例を結合して本発明の技術案をさらに詳しく述べる。
【００４２】
実例：図4は本発明のイーサネットリングネットワーク位相図であり、ノードS2とS3との間にリンク故障が現れ、リンクが回復した後、リングプロテクションリンクに属するノードS1は回復待ちタイマーを始動し、且つ、サスペンド状態に入る。ノードS1は、サスペンド状態にあり、且つ、回復待ちタイマーが切れた後、スイッチバックを行い、まず、リングプロテクションリンクの隣接ポート11をブロックし、リングプロテクションリンクブロッキングプロトコルフレームを送信して他のノードにスイッチバックを行うことを通知する。リング保護プロトコルフレームに含まれるノード番号は1であり、ブロッキングポートインデックス番号は0である。ノードS1は、ポート11のリフレッシュ記録情報を自身のノード番号1及びポート11のインデックス番号0に更新する。ノードS1は、自身から送信されたリング保護プロトコルフレームを受信した時、比べることによって、プロトコルフレームに含まれるノード番号及びポートインデックス番号が、最初に記憶されているリフレッシュ記録情報と一致する。このため、ノードS1は、アドレステーブルを繰り返しリフレッシュしない。
【００４３】
ブロッキングポート情報の更新システムであって、該システムは、イーサネットリングネットワークのリングプロテクションリンクに属するノードがサスペンド状態にあり、且つ、回復待ちタイマーが切れた後に、イーサネットリングネットワークのリングプロテクションリンクに属するノードがリングプロテクションリンクの隣接ポートのリフレッシュ記録情報を、イーサネットリングネットワークのリングプロテクションリンクに属するノードのブロッキングポートを標識する情報に更新するための更新ユニットを含む。
【００４４】
ここで、該システムは、ブロックユニットと送信ユニットとをさらに含む。ブロックユニットは、イーサネットリングネットワークのリングプロテクションリンクに属するノードが前記リングプロテクションリンクの隣接ポートをブロックすることに用いられる。送信ユニットは、イーサネットリングネットワークのリングプロテクションリンクに属するノードが、リングプロテクションリンクブロッキングプロトコルフレームを送信してイーサネットリングネットワークにおける他のノードに通知することに用いられる。
【００４５】
ここで、該システムは、イーサネットリングネットワークのリングプロテクションリンクに属するノードが、自身から送信されたリングプロテクションリンクブロッキングプロトコルフレームを受信した時、アドレステーブルのリフレッシュを実行しないためのリフレッシュ実行ユニットをさらに含む。
【００４６】
ここで、該システムは、イーサネットリングネットワークのリングプロテクションリンクに属するノードが、リングプロテクションリンクブロッキングプロトコルフレームにパッケージされたノード番号とインデックス番号とを解析し、更新後のリフレッシュ情報におけるノード番号及びインデックス番号とをマッチングするためのマッチングユニットをさらに含む。リフレッシュ実行ユニットは、ノード番号とインデックス番号とが同じであり、マッチングに成功し、イーサネットリングネットワークのリングプロテクションリンクに属するノードがアドレステーブルのリフレッシュを実行しないことにさらに用いられる。
【００４７】
以上のように、本発明は、イーサネットリングネットワークにおけるリングプロテクションリンクに属するノードによってポートのリフレッシュ記録情報を能動的に更新し、スイッチバックする時の繰り返しリフレッシュを防止する。このため、本発明によれば、スイッチバック場合での繰り返しリフレッシュの問題を回避できるだけでなく、イーサネットリングネットワークの切り替え効率を向上させることができる。
【００４８】
ここで、以上のかかわるリングプロテクションリンクブロッキングプロトコルフレームはNRRBフレームで示すことができ、リンク故障警告プロトコルフレームはSFフレームで示すことができ、戻しモードはRevertive modeで示すことができ、サスペンド状態はPending stateで示すことができ、回復タイマーは完全な名称がWait to RestoreであるWTRで示すことができ、保護スイッチング請求の手動切り替えは、完全な名称がManual SwitchであるMSで示すことができ、保護スイッチング請求の強制切り替えは完全な名称がForced SwitchであるFSで示すことができる。
【００４９】
前記内容は、本発明の好適な実施例のみであり、本発明の保護範囲を限定するものではない。
【図１】
2013505650.tif 000003
【図２】
2013505650.tif 000004
【図３】
2013505650.tif 000005
【図４】
2013505650.tif 000006
【国際調査報告】
2013505650.tif 000007
2013505650.tif 000008
2013505650.tif 000009
2013505650.tif 000010